(57)【要約】【課題】  感染性医療用廃棄物などを、高い安全性下において簡便に焼却処理することが可能な小型焼却炉。【解決手段】  一次燃焼室２は廃棄物Ｘを混錬しつつ９５０℃前後で燃焼処理すると共に、溶融プラスチック類などの高分子系廃棄物を燃焼させ、一次燃焼室２からの未燃ガスを燃焼二次燃焼室４で８５０℃以上で少なくとも約２秒間以上焼却し、排ガス急冷室６で二次燃焼室４からの排ガスを２００℃以下に冷却処理し、除塵室ではセラミックフィルター７ａにより飛灰を抑制した後にアルカリフィルター７ｂにより塩化水素ガスを抑制し、活性フィルター７ｃによりダイオキシン類を削減し、注射針などの金属類を１４００℃の高温下で急激に酸化して粉末状に処理する高温コークス炉１１を備える。【選択図】図１
2005024228.tif 000002
【特許請求の範囲】
【請求項１】
耐熱・耐食性の炉壁により形成される燃焼炉本体を、一次燃焼室，二次燃焼室，排ガス急冷室，除塵室，排気塔とにより構成し、
一次燃焼室は、固定火格子により廃棄物を９５０℃前後で燃焼処理する上室と溶融プラスチック類などの高分子系廃棄物を燃焼する下室とに区画され、固定火格子の上部には投入された廃棄物を混錬する可動火格子を配備し、
一次燃焼室からの未燃ガスを燃焼処理する二次燃焼室は、８５０℃以上で少なくとも約２秒間以上のガス滞留時間を確保し、
排ガス急冷室は、二次燃焼室からの排ガスを２００℃以下に冷却処理し、
除塵室は、セラミックフィルターにより飛灰を抑制した後にアルカリフィルターにより塩化水素ガスを抑制し、活性フィルターなどによりダイオキシン類を削減し、
注射針などを１４００℃の高温下で急激に酸化して粉末状に処理する高温コークス炉よりなる高温処理室を具備してなることを特徴とする感染性医療用廃棄物などの小型焼却炉。
【発明の詳細な説明】
【技術分野】
【０００１】  この発明は、感染性医療用廃棄物などを、高い安全性下において簡便に焼却処理することが可能な小型焼却炉に関するものである。
【背景技術】
【０００２】  近年、環境保護に対する関心の高まりと共に、廃棄物の焼却処理にする様々な規制や行政指導が強化されてきている。とりわけ、病院や医療系研究機関などの施設から発生する医療用感染性廃棄物は、管理体制の整備に加えその適正な廃棄処理が求められてきている。【０００３】  すなわち、感染性廃棄物の処理においては、排出源における発生時点での処理が求められるが、医療用感染性廃棄物中には、水分を含んだ紙や布など一般雑芥などの他にプラスチック材や注射針などのような金属類も混在されており、その分別処理も大変な手間がかかる。【０００４】  また、従来より小型焼却炉は数多く提案されているが、一般雑芥，プラスチック材，金属類などが混在した医療用感染性廃棄物を一括して焼却処理を行い得る好適な小型焼却炉はなかった。【０００５】  しかも、上記のような施設から排出される廃棄物は、感染性廃棄物だけではなく多種多様な非感染性廃棄物も多量にあり、さらに感染性廃棄物と非感染性廃棄物とを分別し、別々の方法で廃棄処理することは、作業面でもコスト面でも実行は困難であった。
【発明の開示】
【発明が解決しようとする課題】
【０００６】  このように、焼却処理においては感染性廃棄物のみならず非感染性廃棄物における一般雑芥の完全焼却処理も難しい問題であるが、加えて塩化ビニールなどが混在している場合には塩化水素ガスが発生し、また、臭気ガスの排出と共に、未燃ガス中にダイオキシンなどの有害化学物質が発生し排出されることになり、近年は環境面でも問題とされてきている。【０００７】  この発明は、上記のような事情に鑑みてなされたものであり、その目的とするところは、紙・布・木材などの一般雑芥などと共に、プラスチック類あるいは金属類などの廃棄物を一括して簡便に完全焼却処理することが可能であり、特に感染性医療廃棄物の焼却処理に好適な小型焼却炉を捉供することにある。
【課題を解決するための手段】
【０００８】  この発明は、請求項１記載のように、耐熱・耐食性の炉壁により形成される燃焼炉本体を、一次燃焼室，二次燃焼室，排ガス急冷室，除塵室，排気塔とにより構成し、一次燃焼室は、固定火格子により廃棄物を９５０℃前後で燃焼処理する上室と溶融プラスチック類などの高分子系廃棄物を燃焼する下室とに区画され、固定火格子の上部には投入された廃棄物を混錬する可動火格子を配備し、一次燃焼室からの未燃ガスを燃焼処理する二次燃焼室は、８５０℃以上で少なくとも約２秒間以上のガス滞留時間を確保し、排ガス急冷室は、二次燃焼室からの排ガスを２００℃以下に冷却処理し、除塵室は、セラミックフィルターにより飛灰を抑制した後にアルカリフィルターにより塩化水素ガスを抑制し、活性フィルターなどによりダイオキシン類を削減し、注射針などを１４００℃の高温下で急激に酸化して粉末状に処理する高温コークス炉よりなる高温処理室を具備してなることを特徴とする。
【発明の効果】
【０００９】    この発明によれば、燃焼動作は上記ように動作されるので、紙・布・木材などの一般雑芥などと共に、プラスチック類あるいは金属類などの廃棄物を一括して簡便に完全焼却処理することが可能であり、有害化学物質の発生を抑え無煙・無臭の排気を行うことができ、特に感染性医療廃棄物の焼却処理に好適な小型焼却炉を捉供することができる。
【発明を実施するための最良の形態】
【００１０】  以下、この発明の実施例を図面に基づき詳細に説明する。
図１に示すように、この発明に係る焼却炉は、焼却能力は２００ｋｇ／ｈで火格子面積は２ｍ２以下とするのが好適であり、焼却炉本体１は、一次燃焼室２，二次燃焼室４，排ガス急冷室６，除塵室７，排気塔８などにより構成されてると共に、高温処理室１１，シーケンス制御手段（図示略）などを具備している。【００１１】  一次燃焼室２は、投入された廃棄物Ｘを燃焼処理するのであるが、その室内は、固定火格子３により上室２１と下室２２に区画されている。上室２１には、上バーナ２１ｂと廃棄物の投入口２１ａが設けられており、下室２２には下バーナ２２ｂと灰などの取出し口２２ａが設けられている。
また、固定火格子３の上方部には可動火格子４が設けられており、固定火格子３上の上室２１に投入されて積載された廃棄物Ｘを混錬し、完全燃焼の促進を促す。固定火格子３と可動火格子４は、耐熱性・耐食性を有する厚さ約６５ｍｍ程度のＳＵＳ３１０Ｓ材により形成されている。なお、可動火格子４は、上記したように固定火格子３上に積載された廃棄物Ｘを混錬し完全燃焼の促進を促す構成のものであればよく、適宜設計変更が可能であるのでその主催名説明は省略をする。
また、炉壁はハイアルミナのキャスタブル耐火物，煉瓦，セラミックボードを組み合わせて形成される。【００１２】  下室２２はプラスチック類などの高分子系廃棄物Ｖの完全燃焼処理を図るもので、上室２１において廃棄物Ｘの攪拌混錬による燃焼処理を行うと、溶融したプラスチック類Ｖは固定火格子３を通過して下室２１に滴下される。この溶融され滴下されたプラスチック類Ｖを、炉床用バーナ２２ｂ及びブロワーにより焼却を行い灰化させる。【００１３】  二次燃焼室４は、一次燃焼室２と通気路４ａを介して連結されており、一次燃焼室２で発生した未燃焼ガスを二次バーナ３ａにより８５０℃以上で完全燃焼させる。この時、未燃焼ガスは二次燃焼室４内に少なくとも２秒以上滞留されて燃焼される。この二次燃焼室４は、８００℃以上に昇温させた後に焼却を開始するように設定されているので、一次燃焼室２からの未燃焼ガスは必ずこの高温部を通過され、感染性廃棄物の場合でも完全に滅菌されると共に、無煙・無臭に処理をすることができる。【００１４】  排ガス急冷室６は、二次燃焼室４と送気管５で繋がっており、二次燃焼室４から送られてきた燃焼ガスを冷却装置１２により２００℃以下に冷却をする。除塵室７は、排ガス急冷室６で２００℃以下に冷却された燃焼ガスを完全にクリーンな排気ガスに処理するもので、第１段に多孔質セラミックフィルター７ａが第２段にアルカリフィルター７ｂが第３段に活性炭フィルター７ｃが配置された構成とされている。【００１５】  多孔質セラミックフィルター７は、高温ガスに対する耐熱性に優れると共に、二次燃焼室４より送り出された飛灰などのダストを捕集する。アルカリフィルター７ｂは、水酸化カルシウムを主成分とする耐熱性を有するフィルターで、塩化水素と反応して塩化カルシウムと水に分解されて塩化水素を取り除き、活性炭フィルター７ｃはダイオキシン類を吸着除去する。【００１６】  排気塔８は、除塵室７で処理された排気ガスを外部に放出するもので、排気煙道内の煤煙量を感知する光透過式センサである排煙計８ａと、排気ブロー８ｂを備えている。【００１７】  高温室１１は、焼却炉本体１とは分離されており、廃棄物Ｘの焼却処理後に焼却灰中に残った注射針や替刃などの金属類を、より高い酸化作用により安全・無害な粒子状の廃棄物とする。具体的には、焼却灰中より取り出された金属類をガスバーナー１１ｂとコークス１１ｃにより１３００〜１４００℃の高温下で急速に参加させる。【００１８】  この焼却炉によれば、燃焼動作は上記ように動作されるので、紙・布・木材などの一般雑芥などと共に、プラスチック類あるいは金属類などの廃棄物を一括して簡便に完全焼却処理することが可能であり、有害化学物質の発生を抑え無煙・無臭の排気を行うことができ、特に感染性医療廃棄物の焼却処理に好適な小型焼却炉を捉供することができる。
【図面の簡単な説明】
【図１】  この発明に係る焼却炉の概略構成を示す説明図である。
【符号の説明】
１    焼却炉本体１
２    一次燃焼室
４    二次燃焼室
６    排ガス急冷室
７    除塵室
８    排気塔
１１  高温処理室
【図１】
2005024228.tif 000003